(57)【特許請求の範囲】
【請求項１】
ダイオキシン類の分解効果を持つ固体化合物を、該固体化合物の融点以上の高温雰囲気下のごみ焼却炉の煙道へ供給する方法において、該固体化合物を、二酸化ケイ素又は珪藻土からなる吸油能を持つ無機粉体と混合させて前記煙道へ供給することを特徴とするダイオキシン類分解薬剤の煙道への供給方法。
【請求項２】
前記吸油能を持つ無機粉体は、平均粒子径が１〜５０μｍ、見かけ比重が０．０５〜０．５ｇ／ｃｍ3であることを特徴とする請求項１記載のダイオキシン類分解薬剤の煙道への供給方法。
【請求項３】
前記ダイオキシン類の分解効果を持つ固体化合物は、テトラメチルチウラムジスルフィド、テトラエチルチウラムジスルフィド又はジチオカルバジン酸ヒドラジン塩であることを特徴とする請求項１又は２記載のダイオキシン類分解薬剤の煙道への供給方法。
【発明の詳細な説明】
【０００１】
【発明の属する技術分野】
本発明は、ダイオキシン類分解薬剤の煙道への供給方法に係り、特に、廃棄物焼却炉等の各種焼却炉から排出される飛灰及び焼却灰（以下、これらを併せて「焼却灰」と称す。）中に含まれるポリ塩化−ｐ−ジベンゾダイオキシン類（ＰＣＤＤ）、ポリ塩化ジベンゾフラン類（ＰＣＤＦ）やコプラナーＰＣＢ（ｃｏ−ＰＣＢ）（以下、これらを併せて「ダイオキシン類」と称す。）等の有機塩素化合物の分解を効果的に行う薬剤の煙道への供給方法に関する。
【０００２】
【従来の技術】
ごみ焼却炉等の焼却炉では、燃焼中にフェノール、ベンゼン、アセチレン等の有機化合物、クロロフェノール、クロロベンゼン等の塩素化芳香族化合物や塩素化アルキル化合物等のダイオキシン類前駆体が発生する。これらのダイオキシン類前駆体は、飛灰が共存すると、その触媒作用によってダイオキシン類となって焼却灰中に存在する。
これらのダイオキシン類を、短時間で分解又は生成抑制し、さらには重金属類の溶出を抑制できる方法として、本発明者らは、既にスクリューフィーダーやコンベアにより、これらを抑制する薬剤を加熱器へ搬送し、焼却灰又は焼却飛灰と混合した後に加熱処理する方法と、圧縮空気により当該薬剤をごみ焼却炉の煙道へ噴霧する方法を提案している。
【０００３】
しかしながら、前記の方法では、以下のような問題点があった。
（１）当該薬剤を加熱処理装置へ搬送すると、スクリューフィーダーやコンベアを含む配管表面に薬剤が付着する。加熱処理装置からの熱により、化合物（薬剤の有効成分）の融点以上の温度で、スクリューフィーダーやコンベアを含む配管表面上において薬剤の液化が始まる。薬剤噴霧装置を再起動させたとき、新たに搬送された薬剤が液化した薬剤に吸着されて、配管の断面積が縮小する。こ
れらの操作を繰り返すことにより、最終的には閉塞を起こして薬剤を安定的に供給することが困難となる。
（２）当該薬剤を煙道へ噴霧すると、配管表面に薬剤が付着する。噴霧操作を停止させると、焼却炉本体からの熱により、化合物の融点以上の温度で、配管表面上において薬剤の液化が始まる。薬剤噴霧装置を再起動させたとき、新たに噴霧された薬剤が液化した薬剤に吸着されて配管の断面積が縮小する。これらの操作を繰り返すことにより、最終的には閉塞を起こして薬剤を安定的に供給することが困難となる。
【０００４】
【発明が解決しようとする課題】
本発明は、これらの問題点を解決し、長期に渡って配管閉塞等の問題を起こすことなく、安定的に供給することができるダイオキシン類の分解薬剤の煙道への供給方法を提供することを課題とする。
【０００５】
【課題を解決するための手段】
上記課題を解決するために、本発明では、ダイオキシン類の分解効果を持つ固体化合物を、該固体化合物の融点以上の高温雰囲気下のごみ焼却炉の煙道へ供給する方法において、該固体化合物を、二酸化ケイ素又は珪藻土からなる吸油能を持つ無機粉体と混合させて前記煙道へ供給することを特徴とするダイオキシン類分解薬剤の煙道への供給方法としたものである。
前記方法において、吸油能を持つ無機粉体である二酸化ケイ素又は珪藻土は、平均粒子径が１〜５０μｍ、見かけ比重が０．０５〜０．５ｇ／ｃｍ3であるのがよく、また、前記ダイオキシン類分解効果又は重金属類の溶出抑制効果を持つ化合物は、テトラエチルチウラムジスルフィド、テトラメチルチウラムジスルフィド、ジチオカルバジン酸ヒドラジン塩、ｐ−ｎ−ブチルニトロベンゼン、トリメルカプトトリアジンの塩、２−メルカプトベンゾチアゾールの塩から選ばれ、特に、テトラメチルチウラムジスルフィド、テトラエチルチウラムジスルフィド又はジチオカルバジン酸ヒドラジン塩を好適に用いることができ、平均粒子径が１〜５０μｍ、見かけ比重が０．０５〜０．５ｇ／ｃｍ3であるのがよい。
【０００７】
【発明の実施の形態】
本発明によれば、ダイオキシン類の分解効果又は重金属類の溶出抑制効果を持つ化合物が配管中で融点以上に熱せられ、溶け出した場合でも、０．５〜５ｍＬ／ｇ、好ましくは、１〜３ｍＬ／ｇの吸油能を持った無機粉体と混合させて薬剤として用いることにより、無機粉体としての流動性が確保されるため、長期に渡って配管閉塞等の問題を起こすことなく、安定的に当該薬剤を供給することができる。
本発明に係るダイオキシン類の分解効果又は重金属類の溶出抑制効果を持つ化合物は、吸油能を持った無機粉体に対して、５０〜５００重量％、特に１００〜３００重量％の割合で混合させることが好ましい。
【０００８】
本発明に係る吸油能を持つ無機粉体の平均粒子径は、ダイオキシン類の分解効果又は重金属類の溶出抑制効果を持つ化合物と同等の、例えば１〜５０μｍ、好ましくは１０〜３０μｍであることが望ましい。
本発明に係る吸油能を持つ無機粉体の見掛け比重は、ダイオキシン類分解効果又は重金属類の溶出抑制効果を持つ化合物と同等の、例えば０．０５〜０．５ｇ／ｃｍ3、好ましくは０．１〜０．３ｇ／ｃｍ3であることが望ましい。
このように、吸油能を持つ無機粉体の平均粒子径と見かけ比重を、ダイオキシン類の分解効果又は重金属類の溶出抑制効果を持つ化合物と揃えることにより、これらの混合品を輸送する過程で、ダイオキシン類の分解効果又は重金属類の溶出抑制効果を持つ化合物と吸油能を持つ無機粉体が分離してしまうことを防ぐことができる。
【０００９】
【実施例】
以下に実施例及び比較例をあげて、本発明をより具体的に説明する。以下の実施例は、本発明の好ましい様態の例示であり、本発明を限定するものではない。
なお、以下の実施例において、無機粉体の安息角の測定は、ホソカワミクロン社製パウダーテスター（ＰＴ−Ｒ型）を用いて行った。
また、二酸化ケイ素、アルミナ、ゼオライト、珪藻土又は粉末活性炭の性状はそれぞれ表１へ示した通りである。従って、二酸化ケイ素と珪藻土が本発明の実施例であり、他は比較例である。
【００１０】
【表１】
0003824549.tif 000002
【００１１】
実施例１
テトラメチルチウラムジスルフィドと、二酸化ケイ素、ゼオライト又は珪藻土をそれぞれ６０：４０の割合で混合させた。混合物を６ｋｇ／ｈで都市ごみ焼却炉の煙道へ連続して噴霧した。週に一度、３時間程度、点検のために噴霧装置を停止し、点検終了後、直ちに噴霧操作を再開させた。
１２ヶ月を上限に、噴霧操作を行った結果を表２へ示した。
【００１２】
実施例２
ジチオ力ルバジン酸ヒドラジン塩と、二酸化ケイ素、アルミナ又は粉末活性炭をそれぞれ６０：４０の割合で混合させた。混合物を６ｋｇ／ｈで都市ごみ焼却炉の煙道へ連続して噴霧した。週に一度、三時間程度、点検のために噴霧装置を停止し、点検終了後、直ちに噴霧操作を再開させた。
１２ヶ月を上限に、噴霧操作を行った結果を表２へ示した。
【００１３】
【表２】
0003824549.tif 000003
【００１４】
実施例３
テトラメチルチウラムジスルフィドと、二酸化ケイ素、アルミナ、ゼオライト、珪藻土又は粉末活性炭をそれぞれ６０：４０の割合で混合させた。混合物を１００ｇ計り取り、アルミ皿へ移し入れ、２００℃に熱したホットプレート上へ置いた。３分後、分離した液状の油が確認できたものは除外し、そうでないものについて、パウダーテスターにより安息角の測定を行った。測定結果を表３へ示した。
【００１５】
実施例４
ｐ−ｎ−ブチルニトロベンゼンと、二酸化ケイ素、アルミナ、ゼオライト、珪藻土又は粉末活性炭をそれぞれ６０：４０の割合で混合させた。混合物を１００ｇ計り取り、アルミ皿へ移し入れ、２００℃に熱したホットプレート上へ置いた。３分後、分離した液状の油が確認できたものは除外し、そうでないものについて、パウダーテスターにより安息角の測定を行った。測定結果を表３へ示した。
【００１６】
実施例５
トリメルカプトトリアジンの１ナトリウム塩と、二酸化ケイ素、アルミナ、ゼオライト、珪藻土又は粉末活性炭をそれぞれ６０：４０の割合で混合させた。混合物を１００ｇ計り取り、アルミ皿へ移し入れ、２００℃に熱したホットプレート上へ置いた。３分後、分離した液状の油が確認できたものは除外し、そうでないものについて、パウダーテスターにより安息角の測定を行った。測定結果を表３へ示した。
【００１７】
実施例６
２−メルカプトベンゾチアゾールのナトリウム塩と、二酸化ケイ素、アルミナ、ゼオライト、珪藻土又は粉末活性炭をそれぞれ６０：４０の割合で混合させた。混合物を１００ｇ計り取り、アルミ皿へ移し入れ、２００℃に熱したホットプレート上へ置いた。３分後、分離した液状の油が確認できたものは除外し、そうでないものについて、パウダーテスターにより安息角の測定を行った。測定結果を表３へ示した。
【００１８】
【表３】
0003824549.tif 000004
【００１９】
表２より、ダイオキシン類の分解効果又は重金属類の溶出抑制効果を持つ化合物を、吸油量０．５〜５ｍＬ／ｇを持つ無機粉体である二酸化ケイ素、珪藻土と混合して用いることにより、長期に渡って配管閉塞等の問題を起こすことなく、安定的に当該薬剤を供給することができることがわかる。
また、表３より、ダイオキシン類の分解効果又は重金属類の溶出抑制効果を持つ化合物を吸油量０．５〜５ｍＬ／ｇを持つ無機粉体である二酸化ケイ素、珪藻土と混合して用いることにより、安息角が同等かそれ以下に低下し、無機粉体としての流動性が改善されることがわかる。
【００２０】
【発明の効果】
本発明によれば、ダイオキシン類の分解効果又は重金属類の溶出抑制効果を持つ化合物が配管中で融点以上に熱せられ、溶け出した場合でも、無機粉体としての流動性が確保されるため、長期に渡って配管閉塞等の問題を起こすことなく、安定的に当該薬剤を供給することができ、加熱処理装置内でダイオキシン類の分解効果又は重金属類の溶出抑制効果を持続的に発揮することができる。